Podtech/llm-jp-corpus-v4-ja_patent huggingface dataset:
(57)【要約】【課題】工作機械を用いて仕上げ作業を行うことなく、容器の底部に固定することが可能な付加底部を提供する。【解決手段】容器（２）の底部外面に固定される付加底部（１）であって、容器（２）に付加底部（１）を取り付ける鋳造工程の間に容器（２）の素材によって満たされるように形成された穴（１ａ）が設けられると共に、容器（１）の底部外面から突設された突起（３）を備える。【選択図】図２
2008036432.tif 000002
【特許請求の範囲】
【請求項１】
容器（２）の底部外面に固定される付加底部（１）であって、上記容器（２）に上記付加底部（１）を取り付ける鋳造工程の間に上記容器（２）の素材によって満たされるように形成された穴（１ａ）が設けられると共に、上記容器（１）の底部外面から突設された突起（３）を備えたことを特徴とする、容器の底部外面に固定される付加底部。
【請求項２】
上記容器（２）の平坦な底部に全体的に取り付けられるように平坦な形状をなすことを特徴とする、請求項１に記載の容器の底部外面に固定される付加底部。
【請求項３】
起立された縁部を有して平坦な形状をなすことにより、上記容器（２）の平坦な底部と少なくとも側壁部の一部とに取り付けられることを特徴とする、請求項１に記載の容器の底部外面に固定される付加底部。
【請求項４】
平坦な板材から突設された突起（３）を備えることを特徴とする、請求項１乃至３のいずれかに記載の容器の底部外面に固定される付加底部。
【請求項５】
上記突起（３）は、一定の厚さを有したシート部材の外面から突出していることを特徴とする、請求項１乃至４のいずれかに記載の容器の底部外面に固定される付加底部。
【請求項６】
上記突起（３）は、同心円状に形成されることを特徴とする、請求項１乃至５のいずれかに記載の容器の底部外面に固定される付加底部。
【発明の詳細な説明】
【技術分野】
【０００１】
本発明は、容器底部の外面に固定されるのに好適な付加底部に関する。
【背景技術】
【０００２】
ポットや平鍋などのように、調理用熱源の上に置かれるようにデザインされた家庭用のアルミニウム製容器は、例えばそのままでは電磁誘導プレートにより誘導加熱することができないという欠点のあることが知られている。この電磁誘導プレートは、家庭用レンジに組み込まれた熱源としての利用が拡大の一途にあり、スチール製の部材と接することによりこれを誘導加熱するようになっている。
【０００３】
このため背景技術においては、アルミニウム製容器の底部外面にスチール製の付加底部を付加する提案がなされている。この付加底部には、適正に設けられた金型による鋳造工程の間に容器の素材によって満たされる穴が設けられており、これにより容器底部にこの付加底部がしっかりと固定されるようになっている。
【発明の開示】
【発明が解決しようとする課題】
【０００４】
しかしながら、この付加底部のそれぞれの穴の縁には鋳バリが形成され、このような鋳バリは、容器が置かれるようにデザインされたプレートを傷つける可能性があるため、完成品においてこれを無視することができない。従って、工作機械を用いてそのような鋳バリを取り除く必要があり、製造コストを増大させることになる。
上述した問題は、スチール製の付加底部を有したアルミニウム製容器に限らず、容器と付加底部とがそれぞれ別の素材からなる場合にも同様に生じる。
【０００５】
本発明はこのような課題に鑑みてなされたものであり、本発明の目的は、工作機械を用いて仕上げ作業を行うことなく、容器の底部に固定することが可能な付加底部を提供することにある。
【課題を解決するための手段】
【０００６】
このような目的を達成するため、本発明の容器の底部外面に固定される付加底部は、上記容器に上記付加底部を取り付ける鋳造工程の間に上記容器の素材によって満たされるように形成された穴が設けられると共に、上記容器の底部外面から突設された突起を備えたことを特徴とする。
【発明の効果】
【０００７】
本発明の容器の底部外面に固定される付加底部によれば、プレートなどに容器を置いたときの容器の接触は、容器の底部外面から突設された突起によってなされる。従って、貫通孔の縁部にある鋳バリの存在は問題のないものとなり、鋳バリの除去はもはや不要となる。
【発明を実施するための最良の形態】
【０００８】
本発明の更なる特徴及び効果は、非限定的な例として添付図面に示された、好ましいが限定されるものではない実施形態についての説明により、更に明らかとなるであろう。
以下、図面に基づき本発明の実施形態について説明する。
図面において符号１は、貫通穴１ａを有して公知の方法で得られるスチール製付加底部を示している。貫通穴１ａは、アルミニウム製の容器２の底部外面に付加底部を取り付ける鋳造工程の間に、図３に示されるように、容器２の素材によって満たされるように形成されている。
【０００９】
付加底部１は起立された縁部を有して平坦に形成され、容器２の平坦な底部に固定されるようになっている。
本発明の重要な特徴は、容器２の底部外面２ａから突出し、同心円状に形成された突起３の存在にある。
レンジのプレートに容器２を置いたときの容器２のプレートとの接触は、このように形成された突起３によってなされる。従って、貫通孔１ａの縁部にある鋳バリの存在は問題のないものとなり、鋳バリの除去はもはや不要となる。
【００１０】
例示した実施形態において、突起３は平坦な板からの突出物となっているが、このような突起は一定の厚さを有した板を成形することによって設けても良い。
上述した発明は様々な変形や変更が可能であり、それらはいずれも添付の特許請求の範囲に含まれるものである。従って、例えば突起はどのような形状を有していても良いし、付加底部は容器の側壁部の少なくとも一部とも接触して設けられるようにしても良い。
【図面の簡単な説明】
【００１１】
【図１】本発明に係る付加底部の平面図である。
【図２】図１のII−II線に沿う断面図である。
【図３】完成品の断面図である。
【符号の説明】
【００１２】
１  付加底部
２  容器
３  突起
【図１】
2008036432.tif 000003
【図２】
2008036432.tif 000004
【図３】
2008036432.tif 000005
(57)【要約】      （修正有）【課題】多孔質な素材であり、その孔は微生物の棲家となり、植物にとって良い土壌環境を作る土壌改良材である木炭等植物炭の植物の生育に対する悪影響の原因となるアルカリ性を中和し、更に、着火性を低下させて安全に保存できる方法を提供する。【解決手段】植物炭のアルカリ性と着火性の原因となる炭酸カリウムの水に対する高い溶解性を利用して、植物炭を流水中や滞水中に浸漬し、水を炭の中に浸透させ、炭酸カリウムを溶出させる。【選択図】なし【特許請求の範囲】
【請求項１】
木炭等の植物の炭は、多孔質な素材であり、その孔は微生物の棲家となり、植物にとって良い土壌環境を作る土壌改良材である。しかし炭はアルカリ性であり、土壌の水素イオン濃度が８以上となると、植物の生育に適さない。中和の処置が必要となる。アルカリ性の原因は炭酸カリウムである。炭酸カリウムは水の溶解度が高く、容易に水に溶解する。さらに植物は、導管、仮導管の通導組織を持ち、また細胞は原形質連絡（壁孔）でつながっている、炭の中まで水は容易に浸透する。その為、木炭等の植物の炭を流水中や滞水中につけ水を炭の中に浸透させ、炭酸カルシウムを溶出させる。また炭の着火性が良いのは、炭酸カルシウムによる。炭酸カルシウムの溶出により炭の着火性を極端に悪くすることが出来る、炭を長期に渡り安全に保存できる。炭酸カリウムの溶出を特徴とする木炭等の植物の炭における水素イオン濃度、着火性調整法
【請求項２】
炭の土壌混入は木炭の９０％が炭素であり土壌に於ける炭素の蓄積となる。この炭素は植物が光合成により大気中の二酸化炭素から固定した炭素であり二酸化炭素の削減となる。また、土壌中以外においても炭を長期、安全に保存することは、二酸化炭素の削減となる事を特徴とする請求項１記載の木炭等の植物の炭における水素イオン濃度、着火性調整法。
【発明の詳細な説明】
【技術分野】
【０００１】  本発明は、木炭等の植物の炭の成分である炭酸カリウムの溶出による炭の水素イオン濃度と着火性の調整方法に関する。
【背景技術】
【０００２】  植物の乾留による木炭等の製造技術がある。【０００３】  木炭等の植物の炭は水素イオン濃度（ｐＨ）がアルカリ性であることが知られている。これは炭酸カリウムによる。【０００４】  木炭等の植物の炭は着火し易い事が知られている。これは炭酸カリウムによる。【０００５】  なお本発明に関する公知技術として非特許文献１を、挙げることが出来る。【０００６】
【非特許文献】  「フリー百科事典ウィキペディア・木炭」  ｈｔｔｐ：／／ｊａ．ｗｉｋｉｐｅｄｉａ．ｏｒｇ／ｗｉｋｉ／％Ｅ％９Ｃ％Ａ８％Ｅ７％８２％ＡＤ
【発明の開示】
【発明が解決しようとする課題】
【０００７】  木炭等の植物の炭のアルカリ性は、炭酸カリウム由来のものであり、植栽的には強アルカリ性である。土壌の水素イオン濃度が８以上となると、植物の生育に適さない。中和剤の混入等、土壌の水素イオン濃度を下げる方法を取らなければならない。【０００８】  木炭等の植物の炭は着火し易く、長期にわたり大量に保存する場合、危険である。
【問題を解決する為の手段】
【０００９】  上述の課題を解決する為、本発明は木炭等の植物の炭のアルカリ性と着火し易さの原因である炭酸カリウムを除去する方法を取る。
【００１０】  炭酸カリウム除去の方法は、水による炭酸カリウムの溶出である。炭酸カリウムは、水に対する溶解度が１１２ｇ／１００ｇ（水２０℃）と高い。
【００１１】  植物は導管、仮導管の通導組織を持ち、また細胞は原形質連絡（壁孔）でつながっている。炭の中まで水は容易に浸透する。その為、炭酸カリウムは水により溶出する。流水は特に効果的である。
【発明の効果】
【００１２】  以上説明したように本発明によれば、炭酸カリウムを溶出した炭は、植栽の土壌改良材として炭の使用の際、中和剤を必要とせず、植栽に適した炭となる。微生物の良い生息環境となり、植物の良い生育環境となる。さらに木炭の９０％は炭素であり、土壌に於ける炭素の蓄積ともなる。これは植物が光合成により大気中の二酸化炭素から固定した炭素であり二酸化炭素の削減につながる。また炭の保存が安全に行えることにより、長期にわたり炭（炭素）の蓄積が行え二酸化炭素の削減につながる。
【発明を実施する為の最良の形態】
【００１３】  本発明は、方法に関するものであり、木炭等の植物の炭を流水中や滞水中につけ水を炭の中に浸透させ、炭酸カルシウムを溶出させる。
【産業上の利用分野】
【００１４】  炭を土壌改良材として使用する分野において利用することが出来る。また炭の安全な蓄積法として利用することができる。二酸化炭素の削減分野においても利用することができる。
(57)【要約】【課題】  化粧品ならびに化粧水は直接ヒトの肌に触れるものであり、敏感肌用に自然界のものだけを使用した化粧品は数多く存在する。しかしながら、現在販売されている化粧品の中では水にこだわった商品はほとんどないため、ヒトによって吸収率が悪いため、保湿の役割をしない製品が数多く存在する。ならびに水分中の金属イオンや、不純物によって肌トラブルを引き起こすケースも存在する。【解決手段】  超純水を化粧品に加え、特に含有率を特定することにより、浸透力が高くまた不純物がないため敏感肌の人にとって有用な化粧品となることから、上記課題を解決することができるものと考えられる。【選択図】なし【特許請求の範囲】
【請求項１】
超純水といわれる抵抗率１８．２Ω・ｃｍならびに有機物質が１０ｐｐｂ以下の水を基材にした化粧水、乳液、美容液、ヘアケア水、育毛剤、全身ローション、シャンプー、トレートメント、泥パック、洗顔料、またはナノケア水である化粧品
【請求項２】
超純水を８０．０％〜９９．５％含有する化粧水、美容液、育毛剤、ヘアケア水、洗顔料、または顔保湿用ナノケア水
【請求項３】
油分を除いた水溶成分の８０．０％〜９９．５％が超純水である乳液
【発明の詳細な説明】
【技術分野】
【０００１】    本発明は超純水を用いた化粧品の調製方法に関する。
【背景技術】
【０００２】  現在、化粧品はさまざまなものが売られ、女性にとっては欠かせない商品である。しかしながら、個人によってある商品との相性がよくないことがしばしば存在し、場合によってはアレルギー反応を起こすことがある。そのため、万人が安心して使える化粧品を開発することは産業上非常に有益である。一方、超純水は半導体製造工場や液晶製造過程において必須のアイテムである。これは複雑なプロセスにおいてウエハーやガラス基盤の洗浄に欠かせないためである。これは超純水の不純物が極端に少ないためである。そこで、本発明は化粧水ならびに化粧品が肌に吸収するものであるため、超純水の特性である不純物が少ないことが肌に刺激の少ない化粧品となりうる可能性があると考えたものである。また、超純水の特徴として、水のクラスター分子の細かさと浸透圧の関係から、肌への浸透力が極端に高いことが言われている。このことから、肌や髪への保湿を目的とした製品には、超純水を用いるメリットが存在する。【０００３】
【特許文献】特開平１０−０２４２９０
【発明の開示】
【発明が解決しようとする課題】
【０００４】  化粧品ならびに化粧水は直接ヒトの肌に触れるものであり、敏感肌用に自然界のものだけを使用した化粧品は数多く存在する。しかしながら、現在販売されている化粧品の中では肝心の水にこだわった商品はほとんどないため、ヒトによっては、吸収率が悪いため、保湿の役割をしない製品が数多く存在する。ならびに水分中の金属イオンや、不純物によって肌トラブルを引き起こすケースも存在する。
【課題を解決するための手段】
【０００５】  第一の発明は、水道水、脱イオン水、蒸留水、精製水、超純水などを化粧品に加え比較検討した結果、超純水を用いた化粧品が敏感肌にとって一番トラブルを回避することができたことである。第二の発明は超純水の化粧品配合の最適な割合を検討した結果、化粧水、乳液とも超純水を８０．０％〜９９．５％含有するものが特に肌との相性がよく、浸透力も高いことである。表１の通り、ブラディシュ社超純水と精製水における弾力と水分の比較を行い、３０秒ごとの肌の状態を記録し肌の変化を確認した。簡易測定ではあるが、超純水・精製水、共に弾力・水分値は上昇していることがわかる。超純水、精製水は３分までの値は肌における水分が弾力に変わっていくことが確認できた。その中でも超純水９０％含有は弾力値の上昇が顕著であり、精製水ならびに超純水５０％含有と比較しても明らかに確認できる。また超純水９０％ならびに５０％においては３０分後、２時間後のデータを確認しても弾力値は維持しており、表皮の水分が皮膚に吸収され弾力がアップしていることが見て取れる。本発明による超純水を用いた化粧品はヒトの肌の特質を考慮し、肌への浸透力が高いため、保湿効果や吸収効率が高まることが考えられる。また、タンパク、金属イオン、不純物などが極限まで取り除かれていることより、水のイオンによる肌のトラブルを起こす可能性がほとんどない。
【発明の効果】
【０００６】  既存の保湿の役割が不十分なケースや肌トラブルを引き起こす頻度が減少する。
【産業上の利用可能性】
【０００７】  本発明の化粧品は既存の超純水製作装置を化粧品作成過程に取り入れることによって完成することから、非常に簡便に産業上利用できると考えられる。【０００８】
【表１】
2008231082.tif 000002
2008231082.tif 000003
【０００９】  測定機器として使用した「フェイスケアセンサ・モデラス」は肌の弾力・水分を１〜１００まで数値化する測定器である。弾力の場合は値が小さいほど良い数値であり、水分の場合は値が大きいほど値が良いものとする。カッコ内は素肌の状態からの変化した値を示している。今回の測定に関して、超純水はブラディシュ社ＴＵＢ・ＰＷＩ超純水製造装置を、精製水は健栄製薬株式会社が販売している、イオン交換法により精製し高温処理した５００ｍＬ精製水を使用した。
【手続補正書】
【提出日】平成19年3月26日(2007.3.26)
【手続補正３】
【補正対象書類名】特許請求の範囲
【補正対象項目名】請求項１
【補正方法】変更
【補正の内容】
【請求項１】
超純水といわれる抵抗率１８．２ＭΩ・ｃｍならびに有機物質が１０ｐｐｂ以下の水を基材にした化粧水、乳液、美容液、ヘアケア水、育毛剤、全身ローション、シャンプー、トリートメント、泥パック、洗顔料、またはナノケア水である化粧品
(57)【要約】      （修正有）【課題】建築工事の初期段階に行われる基礎工事と最終段階に造営される犬走りの造営を同時に行うことによりコストの軽減を図るとともに、基礎と犬走りを構造物として一体化させることにより構造物としての基礎及び構造物としての犬走りを強度を向上させる。【解決手段】  建築工事の初期段階に行われる基礎工事と同時に基礎と一体の犬走りを形成する。【選択図】なし【特許請求の範囲】
【請求項１】
建物の土台となる基礎工事において、該工事時にその基礎と一体で形成されることを特徴とした犬走り
【発明の詳細な説明】
【技術分野】
【０００１】  本願発明は、建築における犬走り及び基礎に関するものである。
【背景技術】
【０００２】  建築物を建てる場合、建築物を地盤の上に安全に支えるため鉄筋コンクリートなどの下部構造物を造営してから、その上に建築物が建築される。これを基礎といい、基礎は、一般に建築工事の初期段階で行われる。
一方、犬走りとは、建築物の外周部や軒下を概ね数十センチ幅で石・砂利・コンクリートなどで敷き固め、雨水によって基礎部分が濡れたり、建築物に汚れが跳ね返えったりするのを防ぐ建築構造物をいい、一般にこの犬走りは建築工事の最終段階で造営される。
【発明の開示】
【発明が解決しようとする課題】
【０００３】
【０００４】  本願発明は、建築工事の初期段階に行われる基礎工事と最終段階に造営される犬走りの造営を同時に行うことによりコストの軽減を図るとともに、基礎と犬走りを構造物として一体化させることにより構造物としての基礎及び構造物としての犬走りを強度を向上させることにある。
【課題を解決するための手段】
【０００５】  本願発明は、上述の課題を解決するため、建築工事の初期段階に行われる基礎工事と同時に基礎と一体の犬走りを形成することにした。
【発明の効果】
【０００６】  既に［発明が解決しようとする課題］で述べたように、基礎と犬走りを同時に工事することによりコストの削減を図ることができ、なおかつ両建築構造物の強度を向上させることができる。
【実施例】  以下、本願発明の実施例について説明する。【０００７】  建築物は、基礎の上に建てられるため、整地などが終わって直ぐに行われる。そして、木造建築物の場合、出来上がった基礎に根太や柱をボルトなどで接続し、建築物が組み上げられていく。
この基礎工事は、現在では、整地が終わった地盤を掘削等し、そこに鉄筋コンクリートを打ち込むことにより行われる。上述のように木造建築物は、基礎にボルトなどで接続され組み上げられることから、基礎がしっかりしていなければ建築物は地震などの外圧により倒壊等することになる。
一般に基礎は、建坪とほぼ同様の面積に施されるが、同一の工事内容により基礎が造営された場合、建坪に対して基礎の面積が大きい方が基礎としての強度（地震などによる揺れに対する強度）は向上する。
上述のように、基礎工事は、整地した地盤を掘削等して、そこに鉄筋コンクリートなどを打ち込むことにより形成される。そして、根太や柱が接続される土台は、地盤より上に形成され、建築物の外淵の根太や柱が接続される土台が基礎の外淵になる。
犬走りは、この基礎の外淵の周囲に敷設されるものであり、［背景技術］で述べたように石・砂利・コンクリートなどが用いられる。
本実施例では、通常の基礎の外淵になる建築物の外淵の根太や柱が接続される土台の周囲、つまり、犬走りの部分まで基礎工事として、鉄筋コンクリートを打ち込むことにより、通常別々に行われる基礎工事と犬走り造営工事を同時に行うとともに犬走りが基礎の一部を構成することになり、面積が広くなるため、その分、通常の基礎工事と同じ内容で基礎を工事した場合と比べ建築構造物としての基礎の強度は向上することになる。【０００８】  以上、実施例に基づき本願発明を説明したが、本願発明は上記実施例に何ら限定されるものではなく、本願発明の趣旨を逸脱しない範囲内で種々の改良変形が可能なことは容易に推察できることできるものである。
(57)【要約】【課題】  軒天井下面が不陸であっても、飾ります蓋と軒天井下面との隙間を一定にして外観性を向上させ、また、飾ります蓋にかかる負担を減少させて、飾ります蓋の破損あるいは飾りますの外れを防止することができる飾ります蓋を提供する。【解決手段】  軒天井３下方の縦樋４を収納する飾ります２の上部に嵌着されるとともに、上面が軒天井３下面に当接して固定される飾ります蓋１であって、縦樋４を通す開口部１１の周縁１２と、固定穴１３の周縁１４が軒天井３下面に当接するように形成してなることを特徴とする。【選択図】図１
2008231794.tif 000002
【特許請求の範囲】
【請求項１】
軒天井下方の縦樋を収納する飾りますの上部に嵌着されるとともに、上面が軒天井下面に当接して固定される飾ります蓋であって、縦樋を通す開口部の周縁と、固定穴の周縁が軒天井下面に当接するように形成してなることを特徴とする飾ります蓋。
【発明の詳細な説明】
【技術分野】
【０００１】
本発明は、飾ります蓋に関するものである。より詳しくは、軒天井下方の縦樋を収納する飾りますの上部に嵌着されるとともに、上面が軒天井下面に当接して固定される飾ります蓋に関するものである。
【背景技術】
【０００２】
従来、例えば図３、図４のように、軒天井３下方の縦樋４を収納して隠すことを目的とした飾ります２は、上部に、飾ります蓋５が嵌着され、飾ります蓋５には、縦樋４を通すための開口部５１が形成されていて、穿設された固定穴５２とネジ等の固定具によって飾ります蓋５の上面が軒天井３下面に当接して固定されている。
【０００３】
しかしながら、図３、図４のように、従来の飾ります蓋５の上面は平面であるため、軒天井３下面が平面であれば、飾ります蓋５の上面と軒天井３下面とは接面して固定できるが、軒天井３下面が不陸であった場合、飾ります蓋５と軒天井３１下面との隙間にばらつきが生じ、外観上好ましくないという問題点があった。さらには、飾ります蓋５が取付けられなかったり、または、飾ります蓋５に無理な力を加えて強引に固定し、飾ります蓋５が破損したり、あるいは、飾ります蓋５が歪んで取付けが困難になったり、飾ります２が外れたりするといった問題点もあった。
【発明の開示】
【発明が解決しようとする課題】
【０００４】
本発明は、以上の通りの事情に鑑みてなされたものであり、軒天井下面が不陸であっても、飾ります蓋と軒天井下面との隙間を一定にして外観性を向上させ、また、飾ります蓋の歪みを減らして、飾りますの取付けを容易にすることができる飾ります蓋を提供することを課題としている。
【課題を解決するための手段】
【０００５】
本発明は、上記の課題を解決するために、第１には、軒天井下方の縦樋を収納する飾りますの上部に嵌着されるとともに、上面が軒天井下面に当接して固定される飾ります蓋であって、縦樋を通す開口部の周縁と、固定穴の周縁が軒天井下面に当接するように形成してなることを特徴としている。
【発明の効果】
【０００６】
上記第１の発明によれば、縦樋を通す開口部の周縁と、固定穴の周縁が軒天井下面に当接するように形成することによって軒天井下面に当接する面積が最小限に少なくなり、その結果、軒天井下面が不陸であっても、飾ります蓋と軒天井下面との隙間が一定に保たれて外観性が向上するとともに、飾ります蓋の歪みを減らして、飾りますの取付けを容易にすることができ、結果として飾ります蓋の破損あるいは飾りますの外れを防止することができる。
【発明を実施するための最良の形態】
【０００７】
以下、本発明の飾ります蓋について詳しく説明する。
【０００８】
図１は、本発明の飾ります蓋の一実施形態の上方斜視図である。
【０００９】
図２は、本発明の飾ります蓋を軒天井下面に当接させ、飾りますが嵌着されている側面図である。
【００１０】
図１、２に示されるように、本発明の飾ります蓋１は、縦樋４を通す開口部１１の周縁１２と、固定穴１３の周縁１４が軒天井３下面に当接している。より詳しくは、飾ります蓋１の全面で軒天井３に当接しているのではなく、ごく限られた部分が軒天井３下面に当接しており、それが縦樋４を通す開口部１１の周縁１２と、固定穴１３の周縁１４である。つまりは、飾ります蓋１の上面において、縦樋４を通す開口部１１の周縁１２と、固定穴１３の周縁１４は、飾ります蓋１における他の部分よりも高く、立設して形成されたものである。例えば、一般的な一辺１５ｃｍ〜２５ｃｍ程度の飾ります蓋１であれば、目安として、縦樋４を通す開口部１１の周縁１２と固定穴１３の周縁１４の立設高さは、１．５ｍｍ以上２．５ｍｍ以下、幅は２ｍｍ以上４ｍｍ以下であることが好ましい。これらの範囲とすることによって、一辺１５ｃｍ〜２５ｃｍ程度の飾ります蓋１であれば、軒天井３の不陸に対し、十分に対応することができ、そして軒天井３下面と飾ります蓋１との隙間を一定に保つことができる。また、縦樋４を通す開口部１１の周縁１２と、固定穴１３の周縁１４を含め、飾ります蓋１は全て同一材料を用いて、例えばプラスチック等によってプレス成形することで作製すればコストを削減することができるため好ましく、縦樋４を通す開口部１１の周縁１２と、固定穴１３の周縁１４のみを別材料とするのであれば、ゴム等の弾性体とすれば、軒天井３の不陸への対応が優れるため好ましい。また、図１、図２においては、縦樋４を通す開口部１１の周縁１２と、固定穴１３の周縁１４は連設しあったものとしているが、同一の高さを有していれば、離れていてもよいことは言うまでもない。
【００１１】
最低限、縦樋４を隠すためには開口部１１の周縁１２を軒天井３下面に当接させることが必要であるとともに、軒天井３下面に固定するためには固定穴１３の周縁１４を当接させることが必要であり、本発明においては、これらを軒天井３下面に当接させているが、当接している面積は非常に少なくなる。そして、軒天井３下面に当接する面積を最小限に少なくし、軒天井３下面が不陸であっても、飾ります蓋１と軒天井３下面との隙間が一定に保たれて外観性が向上するとともに、飾ります蓋１の歪みを減らして、飾ります２の取付けを容易にすることができ、結果として飾ります蓋１の破損あるいは飾ります２の外れを防止することができるのである。
【００１２】
以上、本発明について、図１、図２等を用いて詳細に説明したが、細部については様々な態様が可能であることは言うまでもない。
【図面の簡単な説明】
【００１３】
【図１】本発明の飾ります蓋の一実施形態の上方斜視図である。
【図２】本発明の飾ります蓋を軒天井下面に当接させ、飾りますが嵌着されている側面図である。
【図３】従来の飾ります蓋の上方斜視図である。
【図４】従来の飾ります蓋を軒天井下面に当接させ、飾りますが嵌着されている側面図である。
【符号の説明】
【００１４】
１  飾ります蓋
１１  開口部
１２  開口部の周縁
１３  固定穴
１４  固定穴の周縁
２  飾ります
３  軒天井
４  縦樋
５  従来の飾ります蓋
５１  開口部
５２  固定穴
【図１】
2008231794.tif 000003
【図２】
2008231794.tif 000004
【図３】
2008231794.tif 000005
【図４】
2008231794.tif 000006
(57)【要約】【課題】  素手で容易にドレン本体への取付けあるいはドレン本体からの取外しが可能なドレン蓋を提供する。【解決手段】  中空筒状の雄ねじ部１１と、排水口１２が形成されているフィルタ部１３とを連設し、ドレン本体２に雄ねじ部１１を回転挿入して取付けられるドレン蓋１であって、枝部１４と直線部１５とからなる略Ｙ字状体１６一組が直線部１５で連結したＹ字連結体凸部１７がフィルタ部１３上面に設けられ、Ｙ字連結体凸部１７の中心１８が、取付け時の回転中心１９あるいはその近傍に位置することを特徴とする。【選択図】図１
2008231796.tif 000002
【特許請求の範囲】
【請求項１】
中空筒状の雄ねじ部と、排水口が形成されているフィルタ部とを連設し、ドレン本体に雄ねじ部を回転挿入して取付けられるドレン蓋であって、枝部と直線部とからなる略Ｙ字状体一組が直線部で連結したＹ字連結体凸部がフィルタ部上面に設けられ、Ｙ字連結体凸部の中心が、取付け時の回転中心あるいはその近傍に位置することを特徴とするドレン蓋。
【発明の詳細な説明】
【技術分野】
【０００１】
本発明は、ドレン蓋に関するものである。より詳しくは、中空筒状の雄ねじ部と、排水口が形成されているフィルタ部とを連設し、ドレン本体に雄ねじ部を回転挿入して取付けられるドレン蓋に関するものである。
【背景技術】
【０００２】
従来のドレン蓋３は、例えば図３、４のように、中空筒状の雄ねじ部３１と、排水口３２が形成されているフィルタ部３３とを連設し、この雄ネジ部３１をドレン本体２に回転挿入することによって取付けられるものである（例えば特許文献１）。
【０００３】
しかしながら、従来のドレン蓋３は、図３から明らかなように、フィルタ部３３には手を引っ掛けるような突出した部分が形成されていない。このため、従来のドレン蓋３をドレン本体２に取付けあるいはドレン本体２から取外す際には素手では滑ってしまい、ドレン蓋３の取付け取外し作業が困難であるという問題点を有していた。特に、マンション等の集合住宅の廊下等に設けられた排水落し口に取付けられる従来のドレン蓋３は、フィルタ部３３上面が床面と同面程度あるいはそれ以下となるような高さとされるものであり、床面と同面程度あるいはそれ以下ではフィルタ部３３側縁を握り持つことができなくなり、上面を押しまわすように取付け取外しする他なく、従来のドレン蓋３の取付け取外し作業は非常に困難なものであった。
【特許文献１】特開平９−６０２１３号公報
【発明の開示】
【発明が解決しようとする課題】
【０００４】
本発明は、以上の通りの事情に鑑みてなされたものであり、素手で容易にドレン本体への取付けあるいはドレン本体からの取外しが可能なドレン蓋を提供することを課題とする。
【課題を解決するための手段】
【０００５】
本発明は、上記の課題を解決するために、中空筒状の雄ねじ部と、排水口が形成されているフィルタ部とを連設し、ドレン本体に雄ねじ部を回転挿入して取付けられるドレン蓋であって、枝部と直線部とからなる略Ｙ字状体一組が直線部で連結したＹ字連結体凸部がフィルタ部上面に設けられ、Ｙ字連結体凸部の中心が、取付け時の回転中心あるいはその近傍に位置することを特徴としている。
【発明の効果】
【０００６】
本発明によれば、Ｙ字連結体凸部に指を引っ掛けて、ドレン蓋を素手で回転させることが可能となり、容易にドレン本体への取付けあるいはドレン本体からの取外しができる。
【発明を実施するための最良の形態】
【０００７】
以下、本発明の雨樋集水ますについて詳しく説明する。
【０００８】
図１は、本発明のドレン蓋の一実施形態の上方斜視図である。
【０００９】
図２は、図１のドレン蓋のＡ矢視側面図と、取付けられるドレン本体の側面図（ａ）と断面図（ｂ）である。
【００１０】
図１のように、本発明のドレン蓋１は、中空筒状の雄ねじ部１１と、排水口１２が形成されているフィルタ部１３とを連設し、ドレン本体２に雄ねじ部１１を回転挿入して取付けられるドレン蓋１であり、その特徴として、枝部１４と直線部１５とからなる略Ｙ字状体１６一組が直線部１５で連結したＹ字連結体凸部１７がフィルタ部１３上面に設けられ、Ｙ字連結体凸部１７の中心１８が、取付け時の回転中心１９に位置している。なお、図１においては、Ｙ字連結体凸部１７の中心１８が、取付け時の回転中心１９に位置しているが、その近傍であってもよい。
【００１１】
このようなＹ字連結体凸部１７に、指を引っ掛けることができ、ドレン蓋１を素手で回転させることが可能となって、容易にドレン本体２への取付けあるいはドレン本体２からの取外しができる。例えば、Ｙ字連結体凸部１７の枝部１４の間に親指と人差し指あるいは親指と中指を入れてＹ字連結体凸部１７を挟み込んでドレン蓋１を回転させることや、Ｙ字連結体凸部１７の枝部１４と直線部１５との分岐部分の側壁の一つに親指を当て、親指位置と回転中心１９の点対称位置の、枝部１４と直線部１５との分岐部分の側壁に人差し指を当ててドレン蓋１を回転させることができる。
【００１２】
また、図１のように、排水口１２の上のフィルタ部１３上面を切欠き、切欠き位置に枝部１４を位置させるように形成することによって、指が引っ掛かる面積を広げることができて、好ましい。
【００１３】
本発明のドレン蓋１の素材および形成方法は、合成樹脂等を用いてプレス成形されたもの等が例示され、従来同様の素材および形成方法を適応することができる。そして、Ｙ字連結体凸部１７の形成については、フィルタ部１３と一体としてプレス成形されたものであってもよいし、別体として成形されたＹ字連結体凸部１７を後からフィルタ部１３の上面に固着させてもよい。
【００１４】
以上のような本発明のドレン蓋によって、素手で容易にドレン本体への取付けあるいはドレン本体からの取外しが可能とされるのであるが、細部に関してはこれに制限されないことは言うまでもない。
【図面の簡単な説明】
【００１５】
【図１】本発明のドレン蓋の一実施形態の上方斜視図である。
【図２】図１のドレン蓋のＡ矢視側面図と、取付けられるドレン本体の側面図（ａ）と断面図（ｂ）である。
【図３】従来のドレン蓋の上方斜視図である。
【図４】従来のドレン蓋のＢ矢視側面図と、取付けられるドレン本体の側面図（ａ）と断面図（ｂ）である。
【符号の説明】
【００１６】
１  ドレン蓋
１１  雄ねじ部
１２  排水口
１３  フィルタ部
１４  枝部
１５  直線部
１６  略Ｙ字状体
１７  Ｙ字連結体凸部
１８  Ｙ字連結体凸部の中心
１９  取付け時の回転中心
２  ドレン本体
３  従来のドレン蓋
【図１】
2008231796.tif 000003
【図２】
2008231796.tif 000004
【図３】
2008231796.tif 000005
【図４】
2008231796.tif 000006
(57)【要約】【課題】  従来の建築は基礎コンクリート及び地杭に直接土台を施し建築物を構築するが、基礎コンクリートを埋設し基礎柱を高くする事により土台を施して建築物と土地・建築物の空間を利用目的とした高床式建築法。【解決手段】  高床式の建築法であって建物を高くするために地震・風・積雪等の対策として基礎コンクリート基礎を埋設し基礎コンクリートに一体した基礎柱を高くし、結合部材で土台を固定し水平と強度に必要な結合部材により解決した。【選択図】図１
2008231904.tif 000002
【特許請求の範囲】
【請求項１】
基礎コンクリートに固定し立設する基礎柱の頂部に、結合部材により固定させる複数の水平支持土台を放射状に配置し、該水平支持土台の先端部において、該各水平支持土台に連結し固定される外周土台を設け、土台上に建築物を載せて成る高床式建築物の施工法。
【発明の詳細な説明】
【技術分野】
【０００１】  本発明は高床式の基礎・基礎柱・土台の施工法に関するものである。
【背景技術】
【０００２】  従来のツリーハウスは自然の立木を利用し、立木を中心の柱として建物を構築するのが普通である。又、太古には、高床式の食糧貯蔵庫等もあったが柱の数が４本以上の建築構造物である。更には、ガソリンスタンドには給油施設の上に柱が２本、３本、４本の屋根が設けられている建築物或いは公園などにおける１本柱の休憩施設等が知られている。然し、これらの従来の建築物では、近隣に建物に耐えうる立木が少なくなり利用しがたいことと、建物の中央に立木の柱が通ることによる床、天井或いは屋根などの施工が煩雑になる問題を解消し、柱の上に屋根だけを設ける建築物ではなく建物としての構造物を提供するために同一発明者により平成１９年２月２２日に特許の出願がなされている。
【発明の開示】
【発明が解決しようとする課題】
【０００３】  本発明は、同一発明者による特許出願がなされている高床式の工法をより容易にする工法と、使用材料の安全と強度を提供することを課題とするものである。
【課題を解決するための手段】
【０００４】  建築物を高床式にするために、地震・風・積雪による倒壊・傾き等を避けるために基礎を埋設し基礎コンクリートをフーチン形にする事による埋設面積の増大で体積と重量を確保し埋設深度を取ることにより、地震・風・積雪・建築物に耐えうる基礎となる。
該基礎にを密着安定させるために、該基礎内の鉄筋と基礎柱を緊縛し強度を確保する。基礎柱の頂部に結合部材を施し土台を取り付け緊縛する。建築物の基礎となりこの上に建築物を構築する。
【発明の効果】
【０００５】  従来は、立木を利用して、ツリーハウスとして空中の建物として求めて来たが、住宅地・近隣などではツリーハウスに見合う木がないので解決された。柱の数が集約されるので、土地を利用するにあたり、狭い土地、住宅地等でも、建築物が作れるようになり、土地と建築物の地上空間を使用目的により使い分けができるので、利便性が増した。ツリーハウスでは、立木が部屋の中心部を貫通し、床・天井・屋根工事が煩雑であり作業が簡素化された。立木が部屋の中心部に無くなり遮蔽物を取り除かれたことにより利用スペースが増え、視野も解決した。又生きている木の為に部屋内の湿度が高いのでこれを解決した。
【発明を実施するために最良の形態】
【０００６】  以下図面に示す実施例に従って、発明の形態を説明する。
［図１］は建物を示した斜視図である。建築物を高床式にするために、地震・風・積雪による倒壊傾き等を避けるために基礎コンクリート１をフーチン形としこのコンクリートには鉄筋２を施す、該基礎コンクリート１の埋設深度をとり体積で重量を、フーチン形で安定を確保する。基礎コンクリート１内部の鉄筋２を施して基礎コンクリート１の中心に基礎柱３を垂設する。基礎柱３の頂部に結合部材５を八方に施しておき、土台４を水平に固定し、結合部材５に固定する。放射状に伸びた水平土台の先端に外周土台４を一連に固定する。
［図２］は建物を示した平面図である。独立基礎コンクリート１の中心に基礎柱３を垂設する。基礎柱３の頂部に結合部材５を施した棚に載せ土台４を水平に結合部材５を土台４同士に固定する。放射状に伸びた水水平土台の先端に外周土台４を一連に固定することで土台が施工され建築物を構築できる。
［図３］建物を示したａ断面図である。基礎コンクリート１をフーチン形にしてベース及び基礎には、鉄筋２を施し基礎柱３を基礎コンクリート１の中心に垂設する。該基礎柱３の上端に結合部材５を八方に施して、該基礎柱３上端の結合部材５を介して土台４を左右水平に固定する。この上に建築物を構築できる。
結合部材５と土台４、土台４同士の固定には電気溶接・ボルトナット止め等の方法もある。基礎柱の材料としては、集製材・鉄筋コンクリート・コラム材・鋼管等があり木材塗装されたシールを張ることにより見た目を変えることができ、コラム材の四面には丸太を三日月形に加工した木材を張れば丸太のように見える。
【産業上の利用可能性】
【０００７】
【図面の簡単な説明】
【０００８】
【図１】  建物を示した斜視図である。
【図２】  建物を示した平面図である。
【図３】  建物を示したａ断面図である。
【符号の説明】
【０００９】  １  基礎コンクリート
２  鉄筋
３  基礎柱
４  土台
５  結合部材
【図１】
2008231904.tif 000003
【図２】
2008231904.tif 000004
【図３】
2008231904.tif 000005
(57)【要約】【課題】  手芸ビーズを製作するときのテグスをテープを使って作業台に貼り抑えたり、はがしたりするわずらわしい作業をなくす、手芸ビーズを製作するときに使用するテグス保持具を提供する。【解決手段】  台座（１）に逆Ｕ字形にバネ（２）を取り付け、台座（１）の底面にすべり止め（３）を設け、台座（１）の側部に翼状の転倒防止部（４）を設けたことを特徴としたテグス保持具。【選択図】図１
2008231646.tif 000002
【特許請求の範囲】
【請求項１】
台座（１）に逆Ｕ字形にバネ（２）を取り付け、台座（１）の底面にすべり止め（３）を設け、台座（１）の側部に翼状の転倒防止部（４）を設けたことを特徴としたテグス保持具。
【発明の詳細な説明】
【技術分野】
【０００１】  本発明は、手芸のビーズを製作するときに使用するもので、１本のテグスの一端、あるいは、複数のテグスを使用する場合は、多端を止めておくためのテグス保持具に関するものである。
【背景技術】
【０００２】  従来、手芸ビーズを製作するときに、上手な人は、両手でテグスの両端をつまみ、ビーズ玉の穴にテグスを通し製作している。
ところが、複数本のテグスを使う場合には、上記の様な作業ができないので、テグスを作業台にテープを貼って抑えておいた。
また、不慣れな人は、１本のテグスでも一端をテープで貼り抑えて作業をしていた。
【発明の開示】
【発明が解決しようとする課題】
【０００３】  そのために、次のような問題点があった。
（イ）テグスを作業台にテープで貼り抑えて、作業を進めて一段落、ビーズ玉をテグスに    通したまま置くと、テグスのクセのあばれで、せっかく通したビーズ玉がテグスから    抜け、飛び散り失敗、この様にならないためには、ビーズ玉を通したテグスを作業台    に、テープで貼り抑えてから他端に移る。
（ロ）このとき、先に貼ったテープを作業台からはがすのに苦労している人を多く見聞き    した。
本発明は、以上の問題点を解決しようとするものである。
【課題を解決するための手段】
【０００４】  台座（１）に逆Ｕ字形にバネ（２）を取り付け、台座（１）の底面にすべり止め（３）を設け、台座（１）の側部に翼状の転倒防止部（４）を設けたことを特徴としたテグス保持具。
【発明の効果】
【０００５】  本発明は、手芸ビーズを製作するときに、テグスの一端を作業台にテープで貼り抑えて作業ができる。
作業が一段落し、他端に移るとき、テグスをテープで貼り抑えないと、せっかく通したビーズ玉がテグスのクセのあばれで抜け飛び散り、ビーズ玉を捜したり、テグスの通し直しをしたり、また、先にテープで貼り抑えていたテグスの他端に作業が移るとき、作業台に貼り抑えていたテープをはがすのに強い粘着力のテープだとなかなか剥れなかったり、弱い粘着力のテープだと作業の途中で勝手にはがれ、テグスからビーズ玉が抜け飛び散るということもある。
テープを貼ってテグスを抑えたり、剥したりというわずらわしい手間が無くなり、引きバネの線と線の大きく開いた所から開いてない方へテグスを差し込み確実に保持できる。
また、反対方向にテグスを抜くと簡単に解放することができる。
【発明を実施するための最良の形態】
【０００６】  以下、本発明の実施の形態について説明する。
台座（１）に逆Ｕ字形にバネ（２）を取り付け、台座（１）の底面にすべり止め（３）を設け、台座（１）の側部に翼状の転倒防止部（４）を設けたことを特徴としたテグス保持具。
さらに、詳細に説明すると、倒れ難くしたオモリを兼ねた台座（１）に、引きバネ（２）を逆Ｕ字形に曲げて取り付ける。
引きバネ（２）の線と線のすきまが大きく開いたすきま部分（５）と、中程度開いたすきま部分（６）、小さく開いたすきま部分（７）を設ける。
まっすぐに戻ろうとする力を利用する。
テグス（８）をはさみ込み保持する逆Ｕ字形ひきバネ（２）の線と線のすきまを色々な大きさにするために、取り付け部分に角度を設ける。
また、テグスが引かれたとき、倒れ、テグスがはずれない様に翼状の転倒防止を設け、オモリを兼ねた台座（１）とする。
台座本体を金属で作るため、滑り易いので、底面にすべり止め（３）を貼り付ける。
本発明は、以上の構成よりなる手芸ビーズを製作するときに使用するテグス保持具である。
本発明を使用するときは、逆Ｕ字形ひきバネ（２）にテグス（８）をはさみ込み保持する。
まっすぐに戻ろうとする力を利用し、はさみ込み保持する。
作業が一段落したら、テグス（８）を反対側に抜くと解放され、別の一端も同様の動きで作業は楽になり効率は上がる。
【図面の簡単な説明】
【０００７】
【図１】  本発明の使用状態を示した斜視図である。
【図２】  本発明の平面図である。
【図３】  本発明の断面図である。
【符号の説明】
【０００８】    １  台座
２  バネ
３  すべり止め
４  転倒防止部
５  大きく開いたすきま部分
６  中程度開いたすきま部分
７  小さく開いたすきま部分
８  テグス
【図１】
2008231646.tif 000003
【図２】
2008231646.tif 000004
【図３】
2008231646.tif 000005
(57)【要約】【課題】従来のスカーフは首に巻くものである為、衣類に比べ利用する機会が少なく、使わなくなってしまっているものも多くありえる。【解決手段】本発明のスカーフ衣類は、スカーフを衣類の前身頃、後身頃、襟、更には袖にすることにより、スカーフの衣類着用が可能となる。スカーフそのものの素材、模様、色彩の美しさを利用することが出来、衣類製作において不可欠な縫い代の始末箇所、特に襟、裾、袖口をスカーフの縁を利用することにより不要とし、その縁を利用した繊細な美しい仕上がりとなる。また、使わなくなったスカーフを衣類として再利用することが出来、組み合わせによって幅広く、斬新かつオリジナル性豊かな衣類を提供することができる。【選択図】図１
2008231648.tif 000002
【特許請求の範囲】
【請求項１】
スカーフによる衣類作成。
【請求項２】
使わなくなったスカーフの衣類作成による再利用。
【請求項３】
衣類製作において不可欠な縫い代の始末箇所、特に襟、裾、袖口をスカーフの縁を用いて作成。
【発明の詳細な説明】
【技術分野】
【０００１】本発明はスカーフによる衣類作成に関するものである。
【背景技術】
【０００２】特に記載すべき先行技術的文献はない。
【発明の開示】
【発明が解決しようとする課題】
【０００３】従来のスカーフは首に巻くものである為、衣類に比べ利用する機会が少ない。【０００４】また、使わなくなってしまっているスカーフも多くありえる。【０００５】本発明は０００３、０００４に着目し、スカーフの巻くものという概念を広げ、スカーフそのものの素材、模様、色彩の美しさを利用し、着るものとして斬新かつオリジナル性豊かな衣類を作成する。
【課題を解決するための手段】
【０００６】本発明のスカーフによる衣類作成において、衣類の前身頃、後身頃、襟、袖にスカーフを用いることにより、スカーフの衣類着用が可能となる。【０００７】使わなくなったスカーフを、衣類として再利用することができる。【０００８】衣類製作において不可欠な縫い代の始末箇所、特に襟、裾、袖口をスカーフの縁を用いて作成することにより、縫い代始末は不要となり、その縁を利用した繊細な美しい仕上がりとなる。
【発明の効果】
【０００９】巻くものから着るものへスカーフの概念を広げることにより、新鮮な衣類を提供できる。【００１０】また、スカーフそのものの素材、模様、色彩を最大限大きく、美しく見せることができる。【００１１】組み合わせにより、オリジナル性溢れる衣類創作が可能となる。【００１２】使わなくなったスカーフを衣類として蘇らせることができ、再利用となる。【００１３】また、思い出の品であるならば、その効果は大きいものと考えられる。【００１４】市場では見ることのない、斬新な衣類を作成することができる。【００１５】素材、軽さ、保温に優れている面を有効活用できる。【００１６】同素材衣類よりも低コストで作成することが可能。
【発明を実施するための最良の形態】
【００１７】以下図面によって本発明の実施例を説明する。
【実施例１】
【００１８】本発明は図１に示すように、スカーフを最大限利用した衣類作成であることが大きな特徴である。【００１９】具体的な作成方法として図２に示すように、スカーフの縁を利用しながら２前身頃、３襟となる部分を切り取る。【００２０】図２に示した余りスカーフ４ａ、４ｂを、前身頃と同向きで後身頃が作成できるよう縫い合わせ、更に５の別布を縫い合わせる。【００２１】００２０より１枚の四角い布が出来、そこから６後身頃を切り取る。【００２２】また、００１９同様に、後身頃の裾はスカーフの縁を利用する。【００２３】前身頃、後身頃を縫い合わせ、襟をつけ、袖口の縫い代を始末する。
【実施例２】
【００２４】組み合わせによる作成においては、スカーフを２枚使用する。【００２５】００２０記載の後身頃用の布の作成は不要となり、後身頃を別のスカーフで切り取ることができる。【００２６】図２に示した別布５も不要となり、４ａ、４ｂを利用して袖を作ることができる。【００２７】また、スカーフを２枚使用することにより、袖部分となる４ａ、４ｂは２倍となる為、縫い合わせにより袖の模様の出し方、長さを自由に決めることができる。【００２８】後身頃、袖口は同様にスカーフの縁を利用し、仕上がりを美しくする。【００２９】襟は、２枚のスカーフどちらでも作成可能となる。【００３０】なお、組み合わせによる作成はスカーフとスカーフに限らず、スカーフと別布でも可能である。
【図面の簡単な説明】
【００３１】
【図１】本発明スカーフ衣類の全体図である。
【図２】本発明スカーフ衣類のスカーフを切り取る説明用平面図である。
【符号の説明】
【００３２】１スカーフ縁
２同スカーフ前身頃
３同スカーフ襟
４同スカーフ後身頃
４ａ同スカーフ余り部分
４ｂ同スカーフ余り部分
５別布後身頃
６後身頃
【図１】
2008231648.tif 000003
【図２】
2008231648.tif 000004